(57)【特許請求の範囲】
【請求項１】
舗道盤としてそれぞれ直方体をなす矩形盤とその下側に段差を形成して対称に向き合う２個の脚盤とからなり、矩形盤は所定厚さで長辺の長さａおよび短辺の長さｂを有し、脚盤は所定厚さで長辺の長さｃがｃ＝ｂ＋２ｆなる関係を有し、脚盤の両短辺が矩形盤の長辺の両端から等距離にあって矩形盤の長辺から突出長さｅがｅ＝（ａ−ｂ）／２となるように突出しているものを互いに密着させ、各舗道盤における矩形盤の上面が同一平面内にあり、隣り合う舗道盤において矩形盤の長辺が互いに直交し、一つの舗道盤の矩形盤の短辺とそれに隣り合う舗道盤の脚盤の外側の長辺の各側面が同一平面内にあり、一つの舗道盤の矩形盤の長辺とそれに隣り合う舗道盤の矩形盤の短辺が幅ｆの溝を形成するようにして得られる吸水型舗道。
【請求項２】
溝の幅が５〜１０ｍｍである請求項１記載の吸水型舗道。
【請求項３】
脚盤の内側の長辺の下端間を矩形盤の下面に接してア−チ状に肉付けしてある請求項１又は請求項２記載の吸水型舗道。
【請求項４】
舗道盤の脚盤が形成する四角形の孔ならびにその上段で矩形盤が形成する一回り大きく、切れ目のある四角形の孔からなる段差ある四角孔に通水孔を有する栓を差込んである請求項１、２又は３記載の吸水型舗道。
【発明の詳細な説明】
【０００１】
【発明の属する技術分野】
本発明は特定形状の舗道盤を敷いた吸水型舗道盤に関する。
【０００２】
【従来の技術】
従来、舗道用に敷かれる舗道盤は四角形などのものが使用されており、舗道盤は相互に密着するか、相互間に隙間を設け目地材を入れて塞いでいる。このため、地下の土中に対して雨水や空気が滲み込まないので、近辺の草木の育成を困難にしている。
これを変えたものに実開昭５０−１００３３２号があり、方形に形成した本体の一側両隅に幅を側長の１／４とし、奥行きを任意の長さとした方形の切欠を設けた敷石を適宜組合せて、敷石の一辺の半分程度を一辺とする空隙を多くつくり、そこに排水機能をもたせ、あるいは土盛りして緑地化できるとしているが、この効果の必要性には疑問がある。また、実開昭５０−８３１３２  号には透水機能をもたせた敷石として、透孔を設けるか側縁の接合部に空隙を生ずるようにしたものが示されているが、とくに工夫がみられるものではない。
【０００３】
【発明が解決しようとする課題】
本発明は舗道盤を敷いた舗道において、舗道盤への荷重圧を広域に分散するとともに、荷重があっても土圧のかからない部分を多く設け、樹木などに雨水や空気が供給されやすくして、環境が保全されるようにしたものを提供せんとするものである。
【０００４】
【課題を解決するための手段】
こにおいて本発明者は、舗道盤としてそれぞれ直方体をなす矩形盤とその下側に段差を形成して対称に向き合う２個の脚盤とからなり、矩形盤は所定厚さで長辺の長さａおよび短辺の長さｂを有し、脚盤は所定厚さで長辺の長さｃがｃ＝ｂ＋２ｆなる関係を有し、脚盤の両短辺が矩形盤の長辺の両端から等距離にあって矩形盤の長辺から突出長さｅがｅ＝（ａ−ｂ）／２となるように突出しているものを互いに密着させ、各舗道盤における矩形盤の上面が同一平面内にあり、隣り合う舗道盤において矩形盤の長辺が互いに直交し、一つの舗道盤の矩形盤の短辺とそれに隣り合う舗道盤の脚盤の外側の長辺の各側面が同一平面内にあり、一つの舗道盤の矩形盤の長辺とそれに隣り合う舗道盤の矩形盤の短辺が幅ｆの溝を形成するようにして得られる吸水型舗道が得られることを見出すにいたった。
【０００５】
矩形盤の長辺と短辺の長さおよび吸水型舗道における隣り合う舗道盤の矩形盤がなす溝の幅を適宜選択するが、溝の幅は５〜１０ｍｍが適当であり、脚盤の内側の長辺の下端間を矩形盤の下面に接してア−チ状に肉付けしてあると舗道盤の強度保持上好都合である。
【０００６】
舗道盤の脚盤が形成する四角形の孔ならびにその上段で矩形盤が形成する一回り大きく、切れ目のある四角形の孔からなる段差ある四角孔には通水孔を有する栓を差込んでおくと好都合である。なお、以上の四角形の孔は正方形である。本発明の吸水型舗道は歩道や駐車場、庭園等の敷石として使用される。
【０００７】
【発明の実施の形態】
本発明における舗道盤は矩形盤と脚盤が一体にできており、コンクリ−トやセラミックス、ガラスなどで成形して得られる。矩形盤の長辺と短辺の長さの比は４：３が適当であり、脚盤における短辺の長さは非接地面積をどれだけ設けるかに応じて選択される。舗道における段差ある四角孔に差込む通水孔を有する栓は合成樹脂などを成形して用いる。
【０００８】
吸水型舗道で隣り合う舗道盤における矩形盤の長辺と短辺間の溝の幅が５〜１０ｍｍであると、歩行者の妨げになるようなことがなく、雨水の通路となる。また、脚盤の短辺の長さを矩形盤の長辺からの突出長さの２倍程度、矩形盤の短辺の１／３程度にしておくと、舗道盤の接地面積が小となり、土面に対して舗道盤に与えた荷重圧のかからない部分が大になるので、雨水や空気の土中への浸透を容易にする。
【０００９】
舗道盤の設計にあたっては、下記の基本式
ｅ＝（ａ−ｂ）／２        （１）
ｃ＝ｂ＋２ｆ              （２）
をふまえ、最初に矩形盤の長辺の長さａおよび短辺の長さｂを設定する。式（１）より脚盤の短辺が矩形盤の長辺から突出する長さｅを求める（図１参照）。ついで、吸水型舗道を形成した際、隣り合う矩形盤の長辺および短辺が形成する溝の幅ｆ（図５参照）を設定して式（２）により脚盤の長辺の長さｃ（図１参照）を求める。溝の深さは矩形盤の厚さに相当する。なお、その際矩形盤が形成する四角形の孔の一辺の長さＧおよび脚盤が形成する四角形の孔の一辺の長さｇ（図７参照）は下記の式により求めることができる。
Ｇ＝（ａ−ｂ）／２＋ｆ    （３）
ｇ＝（ａ−ｂ）／２−ｆ    （４）
四角形の孔Ｇ、ｇの深さはそれぞれ矩形盤、脚盤の厚さとなる。脚盤の短辺の長さは舗道盤の接地面積を考慮して選択する。最後に矩形盤ならびに脚盤の強度を考慮してその厚さを適宜選択すれば、舗道盤の基本的な形状が決定される。
【００１０】
吸水型舗道を形成するにあたり目詰め作業は一切不要で、矩形盤間の溝に砂などを入れてもよい。本発明の舗道盤で形成される吸水型舗道は、矩形盤が受ける荷重をその吸水型舗道盤の脚盤と、その脚盤上の矩形盤の短辺に隣り合う舗道盤の脚盤が受ける。これが繰り返されて荷重の負担が二次元的に他の脚盤に伝播するので、荷重は吸水型舗道内の多数の脚盤に分配される結果となり、荷重による土圧が広域に分散する。したがって、土が固まりにくく、雨水が浸透しやすい。
【００１１】
吸水型舗道を形成すると段差ある四角孔を形成するが、舗道盤が大きく、この段差ある四角孔が大きくなる場合には、そこに頂部が矩形盤の平面位置に合い通水孔を有する栓を差込んでおくとよい。段差ある四角孔の活用方法として、そこに発光ダイオ−ド等の発光装置を設置して各種の図形や模様を形成し舗道を装飾することも可能である。
【００１２】
【実施例】
以下、実施例により本発明をさらに具体的に説明する。舗道盤１はその形状を図８に示すごとき脚盤間をア−チ状にしたもので、コンクリ−トを加圧成形して得た。舗道盤の形状については、まず、最初に矩形盤２の長辺の長さａと短辺の長さｂを、ａ：ｂ＝４：３になるようにして３２０ｍｍと２４０ｍｍに設定した。ついで、式（１）から矩形盤２の長辺から突出する脚盤３の突出の長さｅを４０ｍｍと算出した。つぎに、吸水型舗道を形成した際隣り合う矩形盤２の長辺および短辺により形成される溝４の幅ｆの長さを５ｍｍと決めた。その結果、式（２）から脚盤３の長辺の長さｃが２５０ｍｍと求まった。一方、式（３）から矩形盤２が形成する四角形の孔の一辺の長さＧの値が４５ｍｍ、また、式（４）から脚盤３が形成する四角形の孔の一辺の長さｇが３５ｍｍとそれぞれ求まった。最後に脚盤３の短辺の長さは接地面積を考慮して選択するが、通常にしたがい脚盤３の短辺の長さを矩形盤２の長辺からの突出長さｅの２倍、矩形盤２の短辺の長さの１／３にして８０ｍｍとした。矩形盤２ならびに脚盤３の厚さを２５ｍｍとして舗道盤の形状が決定した。
【００１３】
吸水型舗道を作るには、隣り合う舗道盤１において、矩形盤２の長辺が互いに直交し、一つの舗道盤１の矩形盤２の短辺とそれに隣り合う舗道盤１の脚盤３の外側の長辺の各側面が同一平面内にあるようにして２次元的に互いに密着して各舗道盤１における矩形盤２の上面が同一平面内にあるように形成すればよい。吸水型舗道の形状、すなわち、舗道盤１を密着した状態を説明するため、図３と図４にアーチ状の部分がない他の形状の舗道盤１を２個組合わせた状態を示し、図５と図６にはアーチ状の部分がない他の形状の舗道盤１を４個組合わせた状態を示してある。これが拡大されて吸水型舗道が形成される。
【００１４】
吸水型舗道の形成により生じた段差ある四角孔５（下段は一辺３５ｍｍの正方形、上段は一辺４５ｍｍの正方形、深さはともに２５ｍｍ）に対しては、着色ポリカ−ボネ−ト樹脂で成形した図９に示すごとき段差を設け通水孔を有する栓６を差込んで塞いでおく。
【００１５】
【発明の効果】
本発明の吸水型舗道は隣り合う舗道盤の矩形盤の長辺と短辺間に溝を生ずるので雨水の通路となり、また、隣り合う舗道盤の脚盤と矩形盤で形成する段差ある四角孔が雨水や空気の土中への流入口となる。この段差ある四角孔に栓を差込んである場合でも、それに通水孔を設けてあるので雨水や空気の流入の妨げとなるようなことはない。とくに、吸水型舗道内の脚盤が舗道盤上の荷重を広域に分散し、脚盤のない部分には荷重による土圧がかからないので、雨水や空気の土中への流入を容易にする。
【図面の簡単な説明】
【図１】舗道盤を示し、（ａ）は上方からの斜視図、（ｂ）は下方からの斜視図である。
【図２】舗道盤を示し、（ａ）は正面図、（ｂ）は平面図、（ｃ）は右側面図、（ｄ）は底面図である。
【図３】舗道盤２個を組合わせた場合の斜視図である。
【図４】舗道盤２個を組合わせた場合を示す説明図である。
【図５】舗道盤４個を組合わせた場合の平面図である。
【図６】舗道盤４個を組合わせた場合の底面図である。
【図７】段差ある四角孔の説明図である（Ａ、Ｂ、Ｃ、Ｄは矩形盤、Ａ’、Ｂ’、Ｃ’、Ｄ’は脚盤）。
【図８】脚盤間をア−チ状にした舗道盤を下方からみた斜視図である。
【図９】栓の正方形をなす頂面の中央を通り正面の側面に平行に切断した断面図である。
【符号の説明】
１  舗道盤
２  矩形盤
３  脚盤
４  溝
５  段差ある四角孔
６  栓
【図１】
0003602414.tif 000002
【図２】
0003602414.tif 000003
【図３】
0003602414.tif 000004
【図４】
0003602414.tif 000005
【図５】
0003602414.tif 000006
【図６】
0003602414.tif 000007
【図７】
0003602414.tif 000008
【図８】
0003602414.tif 000009
【図９】
0003602414.tif 000010